(57)【要約】【課題】容易に気密性を高めることができる天井材および天井材の施工方法を提供することである。【解決手段】本発明にかかる天井材１００は、野縁２００と、天井ボード５００と、野縁２００に取り付けられ、かつ天井ボード５００の継ぎ目部分で天井ボード５００を支持するためのジョイナー３００と、少なくともジョイナー３００と野縁２００との間に取り付けられた断熱シート４００と、を含み、配設される前の天井ボード５００および断熱シート４００の合計厚みは、ジョイナー３００の支持部３２０の大きさＬ３２以上である。【選択図】図２
2014055445.tif 000002
【特許請求の範囲】
【請求項１】
建物の天井に配設される天井材であって、
野縁と、
天井ボードと、
前記野縁に取り付けられ、かつ前記天井ボードの継ぎ目部分で前記天井ボードを支持するための支持部を有する化粧材と、
少なくとも前記化粧材と前記野縁との間に取り付けられたシートと、を含み、
前記配設される前の天井ボードの継ぎ目部分および前記シートの合計厚みは、前記化粧材の支持部の大きさ以上であることを特徴とする天井材。
【請求項２】
前記天井ボードは、樹脂発泡体からなることを特徴とする請求項１記載の天井材。
【請求項３】
前記天井ボードは、少なくとも片面に不燃補強面が形成されたことを特徴とする請求項１または２記載の天井材。
【請求項４】
前記天井ボードは、少なくとも片面に非透湿系面が形成されたことを特徴とする請求項１から３のいずれか１項に記載の天井材。
【請求項５】
前記シートは、予め少なくとも前記野縁の下面を覆うように取り付けられたことを特徴とする請求項１から４のいずれか１項に記載の天井材。
【請求項６】
前記シートは、予め少なくとも前記化粧材の支持部を覆うように取り付けられたことを特徴とする請求項１から４のいずれか１項に記載の天井材。
【請求項７】
前記天井ボードは、少なくとも辺または稜の一部において面取りまたは丸み面取りが施されたことを特徴とする請求項１から６のいずれか１項に記載の天井材。
【請求項８】
建物の天井に配設される天井材の施工方法であって、
少なくとも野縁の下面を覆うようにシートを取り付ける工程と、
前記野縁に天井ボードの継ぎ目部分で天井ボードを支持するための支持部を有する化粧材を取り付ける工程と、
前記化粧材の支持部に前記シートを圧接させつつ前記天井ボードを取り付ける工程とを含むことを特徴とする天井材の施工方法。
【請求項９】
建物の天井に配設される天井材の施工方法であって、
少なくとも化粧材の天井ボードを支持するための支持部を覆うようにシートを化粧材に取り付ける工程と、
野縁に前記化粧材を取り付ける工程と、
前記化粧材の支持部に前記シートを圧接させつつ前記天井ボードを取り付ける工程と、を含むことを特徴とする天井材の施工方法。
【発明の詳細な説明】
【技術分野】
【０００１】
本発明は、建物の天井に配設される天井材および天井材の施工方法に関する。
【背景技術】
【０００２】
従来から、建物の室内と室外との気温差による熱の流出および結露等が問題となっている。そのため、建物内における天井、外壁または床等に断熱材を設けるなど種々の工夫が施されている。
【０００３】
特許文献１（特開２００２−０３８６３１号公報）には、壁面のずり下がり、及び熱橋が生じることがなく、しかも壁面の厚みも小さい鉄骨における外壁構造について開示されている。
【０００４】
特許文献１（特開２００２−０３８６３１号公報）記載の外壁構造は、鉄骨に対しブラケットを介して胴縁が固定され、この胴縁に外装材が取り付けられた外壁構造であって、該鉄骨と胴縁との間に熱絶縁材が介在されており、該鉄骨と胴縁との間に断熱ボードが配設されていることを特徴とするものである。
【０００５】
また、特許文献２（特許第４２０１５４６号公報）には、天井の断熱性能を向上させることが出来る断熱構造を実現するのに有利な固定金具について開示されている。
【０００６】
特許文献２（特許第４２０１５４６号公報）記載の固定金具は、天井裏を構成する鉄骨梁で囲まれた空間に所定の間隔で断熱材を固定する下地材を鉄骨梁に固定する固定金物であって、下地材を取り付ける上部片と、前記上部片の下方であって且つ該上部片に並行して配置されて上部片の位置を指示する指示片と、前記上部片と指示片を予め設定された間隔を持って接続すると共に鉄骨梁に固定される固定片と、を有することを特徴とするものである。
【先行技術文献】
【特許文献】
【０００７】
【特許文献１】特開２００２−０３８６３１号公報
【特許文献２】特許第４２０１５４６号公報
【発明の概要】
【発明が解決しようとする課題】
【０００８】
特許文献１および特許文献２に示すように、断熱部材を設けることで、断熱性能を高めることができる。
【０００９】
また、断熱部材を設ける場合、施工上、断熱部材と当該断熱部材を固定する固定部材との厚み方向（上下方向）に隙間が設けられている。それにより、容易に断熱部材を挿入できるという効果があった。
しかしながら、断熱性には、気密性が必須となるため、隙間をあけることにより、断熱効果が薄れるという問題があった。
その隙間の発生を防止するため、断熱部材をビスなどにより直接固定する手法がとられているが、ビスが一列に配設されず、乱れた状態に陥り易かった。さらに、断熱部材を介して下地にビスを打ち込む際、ビス頭がめり込み（発泡体がビスよりも弱いため）、外観を大きく損なうおそれがあるなど、いずれも施工を行う労働者に負担がかかっていた。
【００１０】
本発明の目的は、容易に気密性を高めることができる天井材および天井材の施工方法を提供することである。
【課題を解決するための手段】
【００１１】
（１）
一局面に従う天井材であって、建物の天井に配設される天井材であって、野縁と、天井ボードと、野縁に取り付けられ、かつ天井ボードの継ぎ目部分で天井ボードを支持するための支持部を有する化粧材と、少なくとも化粧材と野縁との間に取り付けられたシートと、を含み、配設される前の天井ボードの継ぎ目部分およびシートの合計厚みは、化粧材の支持部の大きさ以上である。
【００１２】
この場合、化粧材と野縁との間にシートが取り付けられ、該シートが圧接されて設けられるので、シートの密度を高めることができ、化粧材と野縁との間の気密性を高めることができる。さらに、シートを設けることにより、化粧材と野縁との熱伝達を防止することができる。
ここで、配設される前の天井ボードの継ぎ目部分の厚みとは、無負荷状態における天井ボードの広面を水平面上に載置させた場合の厚みを意味する。
【００１３】
（２）
第２の発明にかかる天井材は、一局面に従う天井材であって、天井ボードは、樹脂発泡体からなってもよい。
【００１４】
この場合、天井ボードは、樹脂発泡体からなるので、断熱性、軽量性を高く維持することができる。
【００１５】
（３）
第３の発明にかかる天井材は、一局面に従うまたは第２の発明にかかる天井材であって、天井ボードは、少なくとも片面に不燃補強面が形成されていてもよい。
【００１６】
この場合、天井ボードは、不燃補強面が形成されているので、建物の天井に配設される天井材は不燃性を高く維持することができる。
【００１７】
（４）
第４の発明にかかる天井材は、一局面に従うまたは第２、第３の発明にかかる天井材であって、天井ボードは、少なくとも片面に非透湿系面が形成されてもよい。
【００１８】
この場合、天井ボードは、片面に非透湿系面が形成されているので、湿度に対する遮蔽性能に優れた性能を発揮することができる。
【００１９】
（５）
第５の発明にかかる天井材は、一局面に従う発明から第４の発明のいずれか１項にかかる天井材であって、シートは、予め少なくとも野縁の下面を覆うように取り付けられたものである。
【００２０】
この場合、シートは、予め少なくとも野縁の下面を覆うように取り付けられたものであるため、天井ボードを取り付ける際に、取り付け作業の習熟を必要とせず、施工手間を削減することができる。また、必ず野縁と天井ボードとの間にシートを配設させることができる。その結果、化粧材と野縁との間の熱橋を防止することができる。
【００２１】
（６）
第６の発明にかかる天井材は、一局面に従う発明から第４の発明のいずれか１項にかかる天井材であって、シートは、少なくとも化粧材の支持部を覆うように取り付けられたものである。
【００２２】
この場合、シートは、予め少なくとも化粧材の支持部を覆うように取り付けられたものであるため、天井ボードを取り付ける際に、取り付け作業の習熟を必要とせず、施工手間を削減することができる。また、必ず化粧材と天井ボードとの間にシートを配設させることができる。その結果、化粧材と野縁との間の熱橋を防止することができる。
【００２３】
（７）
第７の発明にかかる天井材は、一局面に従う発明から第６の発明のいずれか１項にかかる天井材であって、天井ボードは、少なくとも辺または稜の一部において面取りまたは丸み面取りが施されたものである。
【００２４】
この場合、天井ボードは、少なくとも辺または稜の一部において面取りまたは丸み面取りが施されているので、取り付け作業の習熟を必要とせず、容易に天井ボードを取り付けることができる。
【００２５】
（８）
他の局面に従う天井材の施工方法は、建物の天井に配設される天井材の施工方法であって、少なくとも野縁の下面を覆うようにシートを取り付ける工程と、前記野縁に天井ボードの継ぎ目部分で天井ボードを支持するための支持部を有する化粧材を取り付ける工程と、前記化粧材の支持部に前記シートを圧接させつつ前記天井ボードを取り付ける工程とを含むものである。
【００２６】
本発明においては、少なくとも野縁の下面を覆うようにシートが取り付けられ、野縁に天井ボードの継ぎ目部分で天井ボードを支持するための支持部を有する化粧材が取り付けられ、化粧材の支持部にシートを圧接させつつ天井ボードが取り付けられる。
【００２７】
この場合、予めシートが取り付けられるので、施工手間を削減することができるとともに、化粧部と野縁との間の気密性を維持しつつ熱伝達を防止することができる。
【００２８】
（９）
他の局面に従う天井材の施工方法は、建物の天井に配設される天井材の施工方法であって、少なくとも化粧材の天井ボードを支持するための支持部を覆うようにシートを化粧材に取り付ける工程と、野縁に化粧材を取り付ける工程と、化粧材の支持部にシートを圧接させつつ天井ボードを取り付ける工程とを含むものである。
【００２９】
この場合、予めシートが取り付けられるので、施工手間を削減することができるとともに、化粧材と野縁との間の気密性を維持しつつ熱伝達を防止することができる。
【発明の効果】
【００３０】
本発明によれば、容易に気密性を高めることができる天井材および天井材の施工方法を提供できる。
【図面の簡単な説明】
【００３１】
【図１】天井材の構造の一部を説明するための模式図である。
【図２】図１における天井材の施工手順を説明するための模式図である。
【図３】野縁の一例を説明するための模式図である。
【図４】ジョイナーの一例を示す模式図である。
【図５】断熱シートの一例を示す模式図である。
【図６】天井ボードの一例を示す模式図である。
【図７】天井材の施工方法を説明するための模式図である。
【図８】第２の実施の形態にかかる断熱シートの他の例を示す模式図である。
【図９】天井材の他の施工方法を示す模式図である。
【図１０】天井ボードの他の例を示す模式的斜視図である。
【図１１】天井ボードの他の例を示す模式的斜視図である。
【発明を実施するための形態】
【００３２】
以下、本発明に係る実施の形態について図面を用いて説明する。図１は、天井材１００の構造の一部を説明するための模式図であり、図２は、図１における天井材１００の施工手順を説明するための模式図であり、図３は、野縁２００の一例を説明するための模式図である。
【００３３】
（天井材１００の構成）
図１および図２に示すように、天井材１００は、野縁２００、ジョイナー３００、断熱シート４００および天井ボード５００を有する。
【００３４】
（野縁２００の説明）
図１に示すように、本実施の形態において、野縁２００は、一方向（Ｙ方向）に延在し、所定の間隔で平行に配設される。また、野縁２００と隣接配置される野縁２００との間に、野縁２００（ダブル野縁）の断面積が約半分の大きさからなる野縁２１０（シングル野縁）が平行に配設される。
【００３５】
さらに、野縁２００，２１０に直交して、野縁２２０が所定の間隔で一方向（Ｘ方向）に延在し、それぞれ平行に配設される。なお、本実施の形態における野縁２００の下面２０１の幅Ｌ２０（図３参照）は、５０ｍｍである。
これらの野縁２００，２１０および２２０は、ＪＩＳＧ３３０２（溶融亜鉛めっき鋼板および鋼帯）ＳＧＣＣＺ１２または、ＪＩＳＧ３３２１溶融５５％アルミニウム−亜鉛合金めっき鋼板および鋼帯ＳＧＬＣＣＡＺ９０と同等以上の材質からなるがこれに限定されるものではない。
【００３６】
（ジョイナー３００の説明）
次いで、図４は、ジョイナー３００の一例を示す模式図である。
【００３７】
図２および図４に示すようにジョイナー３００は、野縁２００に対向して取り付けるための面３１０と、面３１０の一端側に設けられ、一の天井ボード５００を保持するためのＬ字状部３２０と、面３１０の他端側に設けられ、前記Ｌ字状部３２０に対向し、他の天井ボード５００を保持するためのＬ字状部３３０とからなる。
【００３８】
図４に示すように、ジョイナー３００のＬ字状部３２０，３３０の鉛直方向長さＬ３２は２１ｍｍからなる。また、Ｌ字状部３２０の面３４０およびＬ字状部３３０の面３５０は、それぞれ長さＬ３４が１５ｍｍからなり、長さＬ３５が１５ｍｍからなる。
【００３９】
また、本実施の形態における図４に示すジョイナー３００の材質は、溶融アルミニウム−亜鉛合金（ＪＩＳＧ３３２１）からなるが、これに限定されず、樹脂、ステンレス、ＪＩＳＧ３３０２準拠の金属等、その他任意の素材からなってもよく、これらの素材の単層または積層構造とされていてもよい。さらに、これらの材質のものに必要に応じてメッキ、防錆処理または塗装などを行ってもよい。ここで、樹脂とは、例えば、熱硬化性樹脂または熱可塑性樹脂等、ＡＢＳ樹脂、アクリル樹脂、塩化ビニル樹脂、ポリオレフィン、変性ポリフェニレンオキサイド、ポリアミド、フェノール樹脂、エポキシ樹脂、ポリウレタン、ベークライト、ＭＣナイロン、フッ素樹脂、テフロン（登録商標）、ポリカーボネイト、ポリプロピレン、ポリエチレン、ポリブチレンテレフタレート、変成ＰＰＥ、ＰＰＳ、セルロイド、メラミン樹脂、ポリエステル、ポリ塩化ビニル、尿素樹脂等、その他任意の樹脂を用いてもよい。
【００４０】
（断熱シート４００の説明）
次いで、断熱シート４００について説明を行う。図５は、断熱シート４００の一例を示す模式図である。
【００４１】
図２および図５に示す断熱シート４００は、主に発泡倍率３０倍のポリエチレン発泡樹脂シート４１０からなる。また、断熱シート４００の片面には、接着面４２０が形成される。本実施の形態では接着面４２０は両面テープ（シールテープ）とされ、断熱シート４００に予め貼付されたが、これに限定されることなく、接着剤等が塗布されて形成されてもよい。
【００４２】
本実施の形態における断熱シート４００は、厚みＬ４５は２ｍｍで、幅Ｌ４０は６０ｍｍからなり、一方向（Ｙ方向：図１参照）に延在するように形成される。ここで、断熱シート４００の幅Ｌ４０は、野縁２００の下面２０１の幅Ｌ２０よりも大きいことが必須である。
【００４３】
なお、断熱シート４００は、発泡倍率３０倍からなることとしているが、これに限定されず、発泡倍率２倍以上１００倍以下発泡樹脂を用いてもよく、ゴム等その他の樹脂、またはグラスウール、ロックウール等を用いてもよい。
また、断熱シート４００は、単なるシートテープからなるのみではなく、気密性を保持できる厚みを有するものが好ましい。
【００４４】
（天井ボード５００）
続いて、天井ボート５００について説明を行う。図６は、天井ボード５００の一例を示す模式図である。
【００４５】
図６の天井ボード５００は、矩形状に形成された部材である。本実施の形態においては、天井ボード５００の厚みＬ５１は２０ｍｍであり、縦横長さＬ５２，Ｌ５３は、それぞれ９００ｍｍからなる。
【００４６】
本実施の形態における天井ボード５００の少なくとも片面には、不燃補強面（図示せず）が形成される。不燃補強面は天井ボード５００に不燃性または強度を付与するものであれば特に限定されるものでなく、例えば金属層のみから構成されていてもよく、ガラス繊維混抄紙層と金属層との積層面として構成されていてもよい。
【００４７】
ガラス繊維混抄紙は、ガラス繊維およびパルプ繊維の他、バインダー成分と無機成分とを含有する。バインダー成分としては、例えばアクリル樹脂などの樹脂が使用される。無機成分としては、例えば炭酸カルシウム、クレー、カオリンなどの１種以上が使用される。金属層は、不燃積層材の発火を防止し、その不燃性を高めるための層であり、例えばアルミニウムなどの金属の箔または板からなる。不燃補強面にはガラス繊維混抄紙層と金属層との他、内装側仕上面を構成する層として化粧層がさらに積層面として構成されていてもよい。化粧層は、例えば、水酸化アルミニウム、ケイ酸マグネシウム、炭酸カルシウムなどを含有するシート（無機混抄紙）、ポリエチレンテレフタレート製不織布などが使用される。
【００４８】
なお、本実施の形態における天井ボード５００の少なくとも片面には、不燃補強面（図示せず）が設けられたが、該不燃補強面は、建物構造、建物用途、部位などに応じて適宜設けられても、設けられなくてもよい。また、設けられる場合、建物の天井の全面であっても部分的な面であってもよい。
【００４９】
また、本実施の形態における天井ボード５００の少なくとも片面には、非透湿系面５２０が形成される。当該非透湿系面５２０は、寒冷地（Ｉ〜ＩＩ地域）向けとしては、ＪＩＳＡ６９３０Ｂ種に記載の住宅用プラスチック系防湿フィルムが適しており、一般地（ＩＩＩ〜ＩＶ地域）向けとしては、ＪＩＳＡ６９３０Ａ種に記載の住宅用プラスチック系防湿フィルムが適している。
【００５０】
具体的には、ポリエチレンフィルム、ポリ塩化ビニルフィルム、ビニルシート、不織布ポリエチレン、ビチューメン含浸ポリプロピレンフォイル等の素材からなる。もしくは、適宜な面材を積層することにより、湿度に対する遮蔽性能を著しく改善することができる。好ましい面材としては、アルミニウム箔張付け不織布、水酸化アルミニウム張アルミニウム箔、ポリエチレン（ＰＥ）フィルム積層複合面材、金属板、金属箔などが例示される。なお、非透湿系面５２０は、天井ボード５００の内部に１層、部分的または複数層に形成されてもよい。
【００５１】
また、本実施の形態における天井ボード５００のボード５１０は、ポリスチレン、ポリエチレン、フェノール樹脂、硬質ウレタン等の弾性変形して圧縮可能な発泡樹脂材料により形成されるが、断熱性能に優れる点からフェノール樹脂が好ましい。
【００５２】
なお、本実施の形態においては、天井ボード５００が矩形状からなることとしたが、これに限定されず、適宜天井形状に合わせた他の任意の形状であってもよい。さらに、厚みについては、２０ｍｍに限定されること無く、１０ｍｍ以上１５０ｍｍ以下の範囲であってもよく、意匠性、強度、耐久性などを考慮して部分的に厚肉または薄肉とされてもよい。
また、本実施の形態においては、天井ボード５００が複数の素材からなることとしているが、互いの素材の層間に接着剤、固定材、硬化剤等を用いてもよい。
【００５３】
（天井材１００の施工方法）
続いて、図２および図７を用いて、天井材１００の施工方法について説明する。
まず、野縁２００の下面２０１に断熱シート４００の接着面４２０を貼り付ける（図７（ａ）参照）。
【００５４】
次に、図２および図７に示すように、野縁２００の下面２０１に接着した断熱シート４００に対してジョイナー３００の面３１０を取り付ける（図７（ｂ）参照）。この場合、ジョイナー３００の面３１０側から野縁２００側に向かって螺子(図示省略)で固定する。
【００５５】
最後に、天井ボード５００をジョイナー３００のＬ字状部３２０に対して取り付ける（図７（ｃ）参照）。
なお、上記の実施の形態において、螺子固定を実施してから天井ボード５００を挿入することとしているが、天井ボード５００が軽量素材からなるので、ジョイナー３００の面３１０側から野縁２００側に向かって螺子(図示省略)で仮固定し、天井ボード５００を挿入してから、螺子で本固定を行ってもよい。
【００５６】
以上のように、本発明にかかる天井材１００においては、天井ボード５００を挿入する場合、断熱シート４００が圧縮される。
すなわち、図７（ｂ）に示すように、支持部３２０の鉛直方向長さＬ３２と天井ボード５００との厚みＬ５１がほぼ同じか、天井ボード５００との厚みＬ５１がわずかに小さい程度であるので、断熱シート４００を圧縮させながら天井ボード５００が取り付けられる。
また、断熱シート４００の幅Ｌ４０は、野縁２００の下面２０１の幅Ｌ２０よりも大きいことから、断熱シート４００が、野縁２００の下面２０１のみではなく、面２０２にまで配設されているので、天井ボード５００が円滑に挿入され、断熱シート４００が折れ曲がり（座屈、または端部が破損して）天井ボード５００の挿入を阻害する状態を防止できる。
【００５７】
したがって、天井ボード５００を容易に取り付けることができる。さらに、野縁２００とジョイナー３００との間に確実に断熱シート４００を配設することができるので、野縁２００とジョイナー３００との熱橋を防止することができる。
【００５８】
さらに、断熱シート４００を圧縮して野縁２００およびジョイナー３００の間に配置させることができるので、気密性を維持することができる。
【００５９】
（第２の実施の形態）
続いて、第２の実施の形態について説明する。第２の実施の形態が、第１の実施の形態と異なる点について説明を行う。図８は、第２の実施の形態にかかる断熱シート４００の他の例を示す模式図である。
【００６０】
第２の実施の形態においては、断熱シート４００の代わりに断熱シート４００ａを備える。断熱シート４００ａは、野縁２００に取り付けるのではなく、ジョイナー３００に取り付けるものである。
【００６１】
第２の実施の形態にかかる断熱シート４００ａは、厚みＬ４５ａは、２ｍｍからなる。また、断熱シート４００ａは、ポリエチレン発泡樹脂シート４１０ａの片面に接着面４２０ａを有する。
断熱シート４００ａは、ジョイナー３００の面３４０，面３２０，面３１０，面３３０および面３５０（図４参照）の全てを連続して覆うことができる形状および大きさからなる。その他について、断熱シート４００ａは、断熱シート４００と同じ条件で形成される。
【００６２】
（ジョイナー３００、天井材１００の施工方法）
続いて、図９は、天井材１００の他の施工方法を示す模式図である。以下、図９を用いて説明する。
まず、ジョイナー３００に断熱シート４００ａの接着面４２０ａ（図８参照）を貼り付ける。
【００６３】
次に、野縁２００の下面２０１に対して、断熱シート４００ａを接着したジョイナー３００を取り付ける。この場合、ジョイナー３００の面３１０側から野縁２００側に向かって螺子で固定する。
【００６４】
最後に、天井ボード５００を斜め下方から、ジョイナー３００のＬ字状部３２０に対して取り付ける。
【００６５】
以上のように、本発明にかかる天井材１００においては、天井ボード５００を挿入した場合、断熱シート４００ａが圧縮される。また、断熱シート４００ａが、ジョイナー３００の上方向の面全てに配設されているので、天井ボード５００が円滑に挿入され、断熱シート４００ａが折れ曲がり（座屈、または端部が破損して）天井ボード５００の挿入を阻害する状態を防止できる。
【００６６】
したがって、天井ボード５００を容易に取り付けることができる。さらに、野縁２００とジョイナー３００との間に確実に断熱シート４００ａを配設することができるので、野縁２００とジョイナー３００との熱橋を防止することができる。
【００６７】
さらに、断熱シート４００ａを圧縮して野縁２００およびジョイナー３００の間に配置させることができるので、気密性を維持することができる。
【００６８】
（天井ボード５００のＲ形状）
続いて、図１０および図１１は、天井ボード５００の他の例を示す模式的斜視図である。
図１０に示すように、天井ボード５００ａは、天井ボード５００の矩形状の板材における少なくとも一の辺または稜において、Ｒ形状が形成されている。
また、図１１に示すように、天井ボート５００ｂは、天井ボード５００の矩形状の板材における少なくとも一の辺または稜において、Ｃ面が形成されている。Ｃ面はＣ０．１〜Ｃ１０で表わされる４５度の面取りであってもよく、４５度以外の面取りであってもよい。
【００６９】
このように、天井ボード５００ａ，５００ｂにおいては、天井ボード５００と比較して、取り付け作業の習熟を必要とせず、容易に挿入することができる。
また、天井ボード５００の厚みは、無負荷状態で水平面上に天井ボード５００の広面を載置した場合の厚みを示す。その結果、天井ボード５００の厚みと断熱シート４００，４００ａとの厚みＬ４５，Ｌ４５ａとの合計は、支持部３２０の長さＬ３２よりも１ｍｍ大きく設けられる。
なお、天井ボード５００の厚みと断熱シート４００，４００ａとの厚みとの合計は、支持部３２０の長さＬ３２よりも０％以上２０％以下の範囲で設けられてもよく、０ｍｍ以上４ｍｍ以下の範囲で大きく設けられることが望ましい。０ｍｍ未満または０％未満であれば、気密性を高めることができず、４ｍｍ超過または２０％超過の大きさの場合、天井ボード５００を容易に挿入することができず、施工性が低下するからである。
【００７０】
以上のように、本実施の形態にかかる天井材１００においては、ジョイナー３００と野縁２００との間に断熱シート４００，４００ａが取り付けられ、該断熱シート４００，４００ａが圧接されて設けられるので、断熱シート４００，４００ａの密度を高めることができ、ジョイナー３００と野縁２００との間の気密性を高めることができる。
さらに、断熱シート４００，４００ａを設けることにより、ジョイナー３００と野縁２００との熱伝達（熱橋）を防止することができる。
【００７１】
また、天井ボード５００，５００ａ，５００ｂは、樹脂発泡体からなるので、断熱性、軽量性、不燃性を高く維持することができ、片面に非透湿系面が形成されているので、湿度に対する遮蔽性能に優れた性能を発揮する。
【００７２】
また、断熱シート４００は、予め少なくとも野縁２００の下面２０１を覆うように取り付けられたものであるため、天井ボード５００，５００ａ，５００ｂを取り付ける際に、取り付け作業の習熟を必要とせず、施工手間を削減することができる。
【００７３】
また、天井材１００の施工方法においては、断熱シート４００ａは、予め少なくともジョイナー３００のＬ字状部３２０，３３０を覆うように取り付けられたものであるため、天井ボード５００，５００ａ，５００ｂを取り付ける際に、取り付け作業の習熟を必要とせず、施工手間を削減することができる。
【００７４】
さらに、天井ボード５００ａ，５００ｂは、少なくとも一辺または稜において面取りまたは丸み面取りが施されているので、容易に天井ボード５００ａ，５００ｂを取り付けることができる。
【００７５】
なお、上記の実施の形態においては、ジョイナー３００について説明を行ったが、Ｌ字形状部３２０，３３０を片方のみ有する部材であっても同様に適応することができる。
また、断熱シート４００，４００ａにおいて接着面４２０，４２０ａを設けることとしているが、これに限定されず、接着面４２０，４２０ａを設けなくてもよい。
【００７６】
本実施の形態においては、天井材１００が天井材に相当し、野縁２００が野縁に相当し、天井ボード５００，５００ａ，５００ｂが天井ボードに相当し、Ｌ字形状部３２０，３３０が支持部に相当し、鉛直方向長さＬ３２が支持部の大きさに相当し、ジョイナー３００が化粧材に相当し、断熱シート４００，４００ａがシートに相当し、非透湿系面５２０が非透湿系面に相当し、面２０１が野縁の下面に相当する。
【００７７】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７８】
１００，１００ａ  天井材
２００  野縁
２０１  面
３００  ジョイナー
３２０，３３０  Ｌ字形状部
４００，４００ａ  断熱シート
５００，５００ａ，５００ｂ  天井ボード
５２０  非透湿系面
【図１】
2014055445.tif 000003
【図２】
2014055445.tif 000004
【図３】
2014055445.tif 000005
【図４】
2014055445.tif 000006
【図５】
2014055445.tif 000007
【図６】
2014055445.tif 000008
【図７】
2014055445.tif 000009
【図８】
2014055445.tif 000010
【図９】
2014055445.tif 000011
【図１０】
2014055445.tif 000012
【図１１】
2014055445.tif 000013